(57)【要約】【課題】  付着物を除去する際の手間を軽減することができ、強固な付着物の除去が可能で、付着物の除去回数自体を減らすことができ、しかも構造が簡単で安価な清掃装置を提供する。【解決手段】  細長の清掃棒２１を、ノズル１０の軸部１１に沿って往復動自在に設け、その清掃棒２１の先端に、矩形状の押圧板２１'を固定する。また、軸部１１の上面に接するようにＵ字ボルト２６を配し、このＵ字ボルト２６の両端部を、軸部１１に溶着される固定金具２５に固定する。清掃を行う際には、清掃棒２１の基端部に設けられるハンドル２２を把持して清掃棒２１および押圧板２１'をノズルチップ１２に向けて押し込み、押圧板２１'をノズルチップ１２の表面の付着物に押し当てる。【選択図】  図１
2005351527.tif 000002
【特許請求の範囲】
【請求項１】
ダストを含有するガスを処理する機器に装着して用いられ、この機器のハウジング内に配されるノズルの表面に付着する付着物を除去する清掃装置であって、
前記ハウジングの壁面に、前記ノズルの軸部に沿って往復動自在に取り付けられるとともに、先端部に前記付着物に押し当てる押圧板を有する清掃棒と、この清掃棒の基端部に設けられその清掃棒を往復操作するハンドルを備えることを特徴とする清掃装置。
【請求項２】
前記清掃棒には、前記ノズルの軸部の外表面と摺接しつつ移動する支持金具が取り付けられ、この支持金具により前記清掃棒の移動動作が案内される請求項１に記載の清掃装置。
【発明の詳細な説明】
【技術分野】
【０００１】
本発明は、例えば、溶融設備用の減温塔に付設されるノズルに付着した付着物を除去するのに用いられる清掃装置に関するものである。
【背景技術】
【０００２】
従来、溶融炉からの排ガスを冷却する減温塔においては、内部に導入される排ガス中のダスト等が、冷却水を噴霧するためのノズルの表面および、その周辺部位に付着して成長し、冷却水の噴霧が妨げられるという問題点があった。
【０００３】
そこで、ノズルの近傍位置から、清浄用のガス流体（空気）を減温塔内に向けて噴出し、ノズルおよびその周辺に付着した付着物を除去する清掃装置が提案されている（例えば、特許文献１および２参照）。
【０００４】
また、特許文献３に開示されるように、ノズルの装着部に、ノズルの代わりに取り付けられる清掃装置も提案されている。この清掃装置によれば、減温塔の内壁に沿うように配される掻き取り刃と、この掻き取り刃を回転させるための駆動軸を備えており、前記掻き取り刃を駆動軸の軸回りに回転させることによって、ノズルの装着部周辺の付着物を掻き落とすように構成されている。
【０００５】
【特許文献１】実開平６−３０６４２号公報
【特許文献２】特開平６−３２００６１号公報
【特許文献３】特開平５−２６１３４３号公報
【発明の開示】
【発明が解決しようとする課題】
【０００６】
しかしながら、前記特許文献１，２に記載のような清掃装置では、減温塔内の部分的な温度低下、排ガス処理量の増加等を防止する必要性から、大量のガス流体を噴出させることができないので、空気の噴出部分に付着する強固な付着物に対して効果が薄いという問題点がある。そのため、付着物が強固なものに成長する前にその付着物を除去する必要があるが、こうした場合、メンテナンスの回数が非常に多くなるという問題点がある。加えて、ガス流体の流通路等を設ける必要があるため、装置構造が複雑になり、装置が高価なものになるという問題点がある。また、前記特許文献３に記載のような清掃装置では、ノズルを装着部から一旦取り外す必要があるため、排ガスの漏出を防止するために減温塔の運転を一旦停止させる必要があり、ダストの除去に大変な手間がかかるという問題点がある。
【０００７】
本発明は、このような問題点を解決するためになされたものであり、付着物の除去を簡単な操作で行うことができ、強固な付着物の除去が可能で、付着物の除去回数自体を減らすことができ、しかも構造が簡単で安価な清掃装置を提供することを目的とするものである。
【課題を解決するための手段】
【０００８】
前記目的を達成するために、本発明による清掃装置は、ダストを含有するガスを処理する機器に装着して用いられ、この機器のハウジング内に配されるノズルの表面に付着する付着物を除去する清掃装置であって、
前記ハウジングの壁面に、前記ノズルの軸部に沿って往復動自在に取り付けられるとともに、先端部に前記付着物に押し当てる押圧板を有する清掃棒と、この清掃棒の基端部に設けられその清掃棒を往復操作するハンドルを備えることを特徴とするものである（第１発明）。
【０００９】
前記清掃棒には、前記ノズルの軸部の外表面と摺接しつつ移動する支持金具が取り付けられ、この支持金具により前記清掃棒の移動動作が案内されるのが好ましい（第２発明）。
【発明の効果】
【００１０】
本発明によれば、ハンドルを把持して清掃棒を往復操作し、清掃棒の先端部の押圧板を付着物に押し当てるという極めて簡単な操作で、ノズルの表面に付着する付着物を除去することができるので、操作ミス等のトラブルが生じることがなく、付着物除去にかかる手間を大幅に軽減することができる。また、本発明においては、従来のもののように、ノズルを取り外すことなく付着物の除去を行うことができるので、付着物除去にかかる手間をより一層軽減することができる。加えて、清掃棒の基端部にハンドルが設けられているので、清掃棒の往復操作をスムーズに行うことができる。また、前記清掃棒の先端部には、押圧板が取り付けられているので、付着物の性状が比較的強固なものであったとしても、広範囲の付着物をその押圧板にて押圧して容易に除去することができる。さらに、装置構成がシンプルであるので、装置のコストを安価に抑えることができるという利点もある。
【００１１】
また、従来のものにおいては、強固な付着物に対して効果が薄かったため、付着物除去作業の回数を多くして、ノズル表面の付着物が強固なものとなる前にその付着物を除去する必要があったが、本発明においては、強固な付着物の除去が容易に行えるため、付着物除去作業の回数を減らすことができる。
【００１２】
前記第２発明の構成を採ることによって、よりスムーズな清掃棒の往復操作が可能となる。また、清掃棒に取り付けられる支持金具は、ノズルの軸部の外表面と摺接しつつ移動するので、清掃棒の往復操作を行うことでノズルの軸部の付着物を確実に除去することができる。
【発明を実施するための最良の形態】
【００１３】
次に、本発明による清掃装置の具体的な実施の形態について、図面を参照しつつ説明する。なお、本実施形態に係る清掃装置は、溶融設備用の減温塔内のノズルを清掃する目的で、その減温塔に装着されて用いられる。
【００１４】
図１には、本発明の一実施形態に係る清掃装置の付着物除去時における側面図（ａ）および、清掃装置の要部平面図（図１（ａ）のＰ部平面図）（ｂ）が示されており、図２には、清掃装置の待機時における側面図が示されている。また、図３には、図１（ａ）のＡ−Ａ視拡大断面図が示されている。
【００１５】
本実施形態において、減温塔１は、上流側の溶融炉より排出されたダストを含む高温排ガス（ガス）を導入して、その排ガスを冷却するものである。この減温塔１のハウジングの側壁２には、円筒状の装着口３が減温塔１の外側に向けて突設されており、この装着口３の減温塔１に対して外側の端部にはフランジ部３'が設けられている。また、このフランジ部３'には、円板状の金属板４がボルト締結されて固定されており、この金属板４を介して、前記減温塔１内に冷却水を噴霧するノズル１０と、このノズル１０の表面に付着した付着物（ダスト等）を除去する清掃装置２０が、前記装着口３に装着されている。
【００１６】
前記ノズル１０は、前記金属板４の中心から上寄りの位置に穿設される第１の孔部５ａに挿通され、先端部が減温塔１の内部空間に突出するように溶着されるとともに、内部に冷却水および空気の流通路がそれぞれ形成される軸部１１と、この軸部１１の先端部に下向きに取り付けられる冷却水噴霧用のノズルチップ１２とを備えて構成されている。
【００１７】
前記軸部１１は、内側管１３と、この内側管１３の外周に同心に配される外側管１５からなる二重管構造となっており、前記内側管１３の管内空間によって冷却水の流通路が、内側管１３と外側管１５の間の空間によって空気の流通路がそれぞれ形成されている。また、前記外側管１５の外周面には、内側管１３−外側管１５間に空気を供給するための空気供給口１４が、減温塔１の外側に位置して設けられている。前記外側管１６の基端部には、ねじ部（図示せず）が設けられており、このねじ部は、六角ナット１６の一端側のねじ穴に螺着されている。さらに、この六角ナット１６の他端部側のねじ穴には、冷却水供給管１７先端のねじ部が螺着されており、前記内側管１３の管内空間に冷却水を供給するようにされている。
【００１８】
このように構成されるノズル１０においては、前記空気供給管１４から供給される空気と、冷却水供給管１７から供給される冷却水は、内側管１３−外側管１５間および内側管１３内をそれぞれ流通して前記ノズルチップ１２に達し、このノズルチップ１２から微粒な水粒子として減温塔１内に噴霧される。これによって、減温塔１内の高温排ガスが所要の温度にまで急速冷却される。
【００１９】
一方、前記清掃装置２０は、前記金属板４の第１の孔部５ａよりもやや下方位置に穿設される第２の孔部５ｂに挿通され、前記ノズル１０の軸部１１に沿って往復動自在に取り付けられる清掃棒２１と、この清掃棒２１の先端に固定される押圧板２１'と、清掃棒２１の基端部に設けられるハンドル２２を備えて構成されている。
【００２０】
前記清掃棒２１は、ステンレス鋼によって細長の棒状に形成され、前記ノズル１０の軸部１１と互いに平行に、かつ前記ノズルチップ１２の先端部と略同じ高さ位置に配されており、減温塔１の外部から内部に向けて押し込まれたときに、ノズルチップ１２の側面に向け前進するようにされている。また、前記清掃棒２１の先端に固定される押圧板２１'は、付着物の押圧範囲を広げる目的で設けられたものであり、前記清掃棒２１の断面積よりも大きな矩形状の金属板から構成されている。また、前記ハンドル２２は、清掃棒２１の基端部に固定される継ぎ手２３を介して、その清掃棒２１の軸方向に直交する向きに配されており、前記清掃棒２１を容易に往復操作できるようにされている。なお、前記清掃棒２１および、その先端の押圧板２１'は、不使用時（非清掃時）においては、減温塔１の外側に向けて引き戻され、装着口３の内側空間に納められる（図２参照。）。この理由は、装着口３の内側空間という、減温塔１内の排ガスと比較的接触し難い位置に、前記清掃棒２１および押圧板２１'を納めることによって、それら清掃棒２１・押圧板２１'に排ガス中のダスト等が付着・成長するのを防止し、それによって、清掃棒２１の往復操作が妨げられるのを防止するためである。
【００２１】
前記減温塔１の内部および外部には、前記清掃棒２１をノズル１０の軸部１１に対して支持する第１の支持金具２４および第２の支持金具２７がそれぞれ配されている。
【００２２】
前記第１の支持金具２４は、図３に示されるように、中央部に下向きの円弧状の凹み部を有し、この凹み部の上面に清掃棒２１の下面が溶着固定される固定金具２５と、この固定金具２５の両側に配されるナット２６'と、両端部が前記各ナット２６'に螺合されて固定金具２５の両側に固定されるＵ字ボルト２６から構成されている。また、このＵ字ボルト２６は、前記軸部１１の外表面上部と接するように配されており、前記清掃棒２１が往復操作されたときには、前記軸部１１の外表面上部と摺接しつつ軸部１１に沿って移動するようにされている。
【００２３】
一方、前記第２の支持金具２７は、六角ナット１６上に溶着される板状の固定金具２８と、この固定金具２８の両側部に配されるナット２９'と、両端部が前記ナット２９'に螺合されて、固定金具２８の両側に固定され、かつ、清掃棒２１を減温塔１の外部で取り囲むようにして配されるＵ字ボルト２９とから構成されている。前記第１の支持金具２４および第２の支持金具２７は、前記清掃棒２１の移動動作を案内する役目も担っている。
【００２４】
前記金属板４の外側面で前記第２の孔部５ｂの外周縁部には、減温塔１内から排ガスが外部に漏出するのを防止するためのシール部３０が、減温塔１の外方に突出して設けられている。このシール部３０は、内径が清掃棒２１よりもやや大径に形成され、前記第２の孔部５ｂおよび、清掃棒２１の一部を取り囲むように配されるとともに、ハンドル２２側の端部がねじ切りされて雄ねじ部３１ａとされるパイプ３１と、その雄ねじ部３１ａと螺合されるねじ穴３２ａおよび円筒状の筒部３２ｃを備えるフランジ３２ｂ付きの収納金具３２と、この収納金具３２の筒部３２ｃの内周面と前記清掃棒２１の外周面との間に収納されるシール用のグランドパッキン３３と、前記収納部３２のフランジ３２ｂにボルト締結されて固定されるキャップ３４とを備えて構成されている。
【００２５】
本実施形態において、減温塔１内に配されるノズル１０に付着した付着物を除去する際には、前記ハンドル２２を把持して清掃棒２１を減温塔１の内部空間に向けて押し込み、その清掃棒２１の先端の押圧板２１'をノズルチップ１２の表面に付着した付着物に押し当てる。ここで、前記ノズルチップ１２の表面で付着・成長する付着物は、高温排ガスに含有される高温のダスト等が冷却水等によって急速に冷却されたものであることから、比較的脆弱な性状である場合が多い。そのため、前記押圧板２１'が押し当てられた部分だけでなく、ノズルチップ１２の表面に付着した殆ど全ての付着物が、付着場所から次々と剥がれ落ちて除去される。
【００２６】
また、前記軸部１１上に付着・堆積する付着物は、前記清掃棒２１がノズルチップ１２に向けて押し込まれた際に、軸部１１の外周面と摺接しながら前進する前記Ｕ字ボルト２６によって、払い落とされて除去される。
【００２７】
本実施形態においては、清掃棒２１、押圧板２１'、ハンドル２２という、極めてシンプルな構成によってノズルチップ１２の表面の付着物の除去を行うことができるので、清掃装置２０のコストを安価に抑えることができる。また、清掃棒２１の先端の押圧板２１'を付着物に押し当てるという極めて簡単な操作によって、ノズルチップ１２の表面に付着した付着物が除去されるので、付着物除去時における操作ミス等のトラブルの発生を防止することができ、しかも、従来のもののように、清掃の際にノズル１０を取り外したり、減温塔１の運転を停止させたりする必要がないので、付着物除去時における手間を大幅に軽減することができる。
【００２８】
ところで、ノズルチップ１２の表面の付着物は比較的強固なものに成長する恐れがあるが、本実施形態においては、押圧板２１'を付着物に押し当てて除去するようにされているので、ノズルチップ１２の付着物が強固なものに成長したとしても、その付着物の除去が比較的容易である。そのため、従来装置に比べてメンテナンスの回数を少なくすることができる。
【００２９】
また、本実施形態においては、清掃棒２１の移動動作が、前記第１の支持金具２４および第２の支持金具２７によって案内されているので、清掃棒２１の往復操作をスムーズに行うことができる。加えて、清掃棒２１がノズルチップ１２に向け押し込まれたときには、前記第１の支持金具２４のＵ字ボルト２６が、軸部１１の外表面と摺接しつつその軸部１１に沿って前進するので、清掃棒２１の押し込み操作によって、ノズルチップ１２の表面の付着物と、軸部１１の表面の付着物とを同時に除去することができる。
【００３０】
本実施形態においては、減温塔１内のノズル１０の表面に付着した付着物を除去する例について説明したが、清掃棒２１によって付着物を除去するという本実施形態の考え方は、ボイラ、粉体製造機、貯留槽、攪拌装置など、他の装置においても適用することが可能である。
【図面の簡単な説明】
【００３１】
【図１】本発明の一実施形態に係る清掃装置の付着物除去時における側面図（ａ）および、清掃装置の要部平面図（図１（ａ）のＰ部平面図）
【図２】清掃装置の待機時における側面図
【図３】図１（ａ）のＡ−Ａ視断面図
【符号の説明】
【００３２】
１                              減温塔
２                              側壁
１０                            ノズル
１１                            軸部
１２                            ノズルチップ
２０                            清掃装置
２１                            清掃棒
２１'                          押圧板
２２                            ハンドル
２４                            第１の支持金具
２６                            Ｕ字ボルト
２７                            第２の支持金具
３０                            シール部
【図１】
2005351527.tif 000003
【図２】
2005351527.tif 000004
【図３】
2005351527.tif 000005